(57)【要約】【課題】本発明は装飾ネックレス研磨装置を開示した。【解決手段】主体と、前記主体の中に位置している操作チャンバとピストンチャンバとを含み、前記操作チャンバの底壁には二つの支持スタンドが設置され、前記支持スタンドの中には凹溝が設置され、前記凹溝の中には前後対称の第一回転軸が回転できるように設置され、本発明の装飾ネックレス研磨装置は構成全体でもっと合理的に巧妙であり、使用も非常に便利であり、ネックレスを研磨できるだけでなく、ネックレスを研磨ボールから分離させることもでき、操作が便利で、設備の安定性が高く、設備の中に正逆回転装置が設置されており、研磨をもっと均一にし、研磨効果がより良く、使用の実用性を高め、高い使用価値と普及する価値を有する。【選択図】図１
2020179123.tif 000002
【特許請求の範囲】
【請求項１】
正面視で、主体と、前記主体の中に位置している操作チャンバとピストンチャンバとを含み、前記操作チャンバの底壁には二つの支持スタンドが設置され、前記支持スタンドの中には凹溝が設置され、前記凹溝の中には前後対称の第一回転軸が回転できるように設置され、前記第一回転軸の外面には摩擦盤が固定的に設置され、前記第一回転軸が前記操作チャンバの端壁の中に設置されている伝動チャンバの中に伸びており、且つ前記第一回転軸の末端には第一ギヤが固定的に設置され、前記伝動チャンバの端壁の中には分離チャンバが設置され、前記分離チャンバの中には正逆回転装置が設置され、前後二組の摩擦盤の頂壁には回転筒が回転できるように設置され、前記回転筒の端壁の中には前記主体と固定的に連結されているリンクチェーンが回転できるように設置され、前記回転筒の中には分離装置が設置され、前記ピストンチャンバの中には液圧装置が設置され、前記ピストンチャンバの端壁の中には切換チャンバが設置され、前記切換チャンバの中には駆動切換装置が設置されていることを特徴とする装飾ネックレス研磨装置。
【請求項２】
前記正逆回転装置は前記伝動チャンバと前記分離チャンバとの間に回転できるように設置されている第二回転軸を含み、前記伝動チャンバの中の前記第二回転軸の末端には前記第一ギヤと噛み合っている第二ギヤが固定的に設置され、前記分離チャンバの中の前記第二回転軸の末端には第三ギヤが固定的に設置され、前記分離チャンバの端壁の中には上下対称の回転チャンバが設置され、前記分離チャンバと前記回転チャンバとの間には第三回転軸が回転できるように設置され、上下二つの前記分離チャンバの中の前記第三回転軸の末端には向きが同じであるセクタギヤが固定的に設置され、前記回転チャンバの中の前記第三回転軸の末端には第一ベベルギヤが固定的に設置され、上下二つの前記回転チャンバの間には第四回転軸が回転できるように設置され、前記回転チャンバの中の前記第四回転軸の外面には前記第一ベベルギヤと噛み合っている第二ベベルギヤが固定的に設置され、前記第四回転軸の頂部末端が前記切換チャンバに伸びており、且つ前記第四回転軸の頂部末端には第四ギヤが固定的に設置されていることを特徴とする請求項１に記載の装飾ネックレス研磨装置。
【請求項３】
前記液圧装置は前記ピストンチャンバの中にスライドできるように設置されているピストンを含み、前記ピストンチャンバの底壁の中には動力チャンバが設置され、前記動力チャンバの中にはネジスリーブが回転できるように設置され、前記ネジスリーブの外面には第五ギヤが固定的に設置され、前記動力チャンバの底壁の中には第一モータが固定的に設置され、前記第一モータの出力軸末端には前記第五ギヤと噛み合っている第六ギヤが固定的に設置され、前記ネジスリーブの頂壁の中には第一ネジ孔が設置され、前記第一ネジ孔の中には前記ピストンと固定的に連結されている第一ネジロッドがネジ山により連結され、前記主体の頂壁には液圧シリンダがヒンジにより連結され、前記液圧シリンダの中にはホースにより前記ピストンチャンバに連通している液圧チャンバが設置され、前記液圧チャンバの中には液圧ロッドがスライドできるように設置され、前記液圧ロッドの末端にはヒンジ連結ロッドがヒンジにより連結され、前記ヒンジ連結ロッドの底部が前記回転筒の外面に回転できるように設置されている第一回転リングとヒンジにより連結され、前記ヒンジ連結ロッドの頂部末端には連結ロッドがヒンジにより連結され、前記連結ロッドの末端には密封蓋がヒンジにより連結され、前記密封蓋の右側が前記回転筒の外面に回転できるように設置されている第二回転リングとヒンジにより連結され、前記回転筒の中に設置されている研磨チャンバの端壁の中には抜き孔が設置されていることを特徴とする請求項１又は請求項２に記載の装飾ネックレス研磨装置。
【請求項４】
前記分離装置は前記研磨チャンバの中に固定的に設置されている濾過板を含み、前記濾過板の右側には推し板がスライドできるように設置され、前記推し板の中には左右に貫通している第二ネジ孔が設置され、前記第二ネジ孔の中には第二ネジロッドがネジ山により連結され、前記第二ネジロッドの右側末端が前記研磨チャンバの端壁を貫通して前記回転筒から突き出ており、且つ前記第二ネジロッドの右側末端には第三ベベルギヤが固定的に設置され、前記切換チャンバの頂壁の中には第五回転軸が回転できるように設置され、前記切換チャンバの中の前記第五回転軸の末端には第七ギヤが固定的に設置され、前記第五回転軸の頂部末端には第四ベベルギヤが固定的に設置されていることを特徴とする請求項１又は請求項２又は請求項３に記載の装飾ネックレス研磨装置。
【請求項５】
前記駆動切換装置は前記操作チャンバの内壁に設置されている第一スライド孔を含み、前記第一スライド孔の中には第一ラックがスライドできるように設置され、前記第一ラックと前記第一スライド孔の端壁との間には復帰装置が設置され、前記切換チャンバの頂壁の中にはスライドチャンバが設置され、前記スライドチャンバの中にはスライダが左右へスライドできるように設置され、前記スライダの底壁には第二モータが固定的に設置され、前記第二モータの出力軸の末端には前記第四ギヤと噛み合っている第八ギヤが固定的に設置され、前記スライドチャンバの端壁の中には前記スライドチャンバに連通している第二スライド孔が設置され、前記第二スライド孔の中には前記スライダと固定的に連結されている第二ラックがスライドできるように設置され、前記第一スライド孔と前記第二スライド孔との間にはギヤチャンバが連通するように設置され、前記ギヤチャンバの中には前記第一ラック及び前記第二ラックと噛み合っている第九ギヤが回転できるように設置されていることを特徴とする請求項１又は請求項２又は請求項３又は請求項４に記載の装飾ネックレス研磨装置。
【発明の詳細な説明】
【技術分野】
【０００１】
本発明はアクセサリー加工分野を取り上げて、具体的には装飾ネックレス研磨装置である。
【背景技術】
【０００２】
生活レベルの向上につれて人々がよりよい生活の品質を求め、ネックレスはほとんどの女性にとって須要なアクセサリーの一つであり、しかし、ネックレスは美しいが、長期に渡って空気の中にさらされると酸化しやすく、摩損しやすく、これによりネックレスはもとの光沢を失い、その外見が暗くなり、そこで、研磨設備が非常に必要となり、従来の研磨設備の自動化程度が低く、研磨効果があまり良くなく、そのため、従来技術の中の装飾ネックレス研磨装置を更に改善する必要があり、これにより装飾ネックレス研磨装置の自動化程度と実用性を高める。
【先行技術文献】
【特許文献】
【０００３】
【特許文献１】中国特許出願公開第109648419号明細書
【発明の概要】
【発明が解決しようとする課題】
【０００４】
本発明は装飾ネックレス研磨装置を提供し、従来技術における上記欠点を解消し、設備の自動化程度と実用性を高めることを目的とする。
【課題を解決するための手段】
【０００５】
本発明の装飾ネックレス研磨装置は、主体と、前記主体の中に位置している操作チャンバとピストンチャンバとを含み、前記操作チャンバの底壁には二つの支持スタンドが設置され、前記支持スタンドの中には凹溝が設置され、前記凹溝の中には前後対称の第一回転軸が回転できるように設置され、前記第一回転軸の外面には摩擦盤が固定的に設置され、前記第一回転軸が前記操作チャンバの端壁の中に設置されている伝動チャンバの中に伸びており、且つ前記第一回転軸の末端には第一ギヤが固定的に設置され、前記伝動チャンバの端壁の中には分離チャンバが設置され、前記分離チャンバの中には正逆回転装置が設置され、前後二組の摩擦盤の頂壁には回転筒が回転できるように設置され、前記回転筒の端壁の中には前記主体と固定的に連結されているリンクチェーンが回転できるように設置され、前記回転筒の中には分離装置が設置され、前記ピストンチャンバの中には液圧装置が設置され、前記ピストンチャンバの端壁の中には切換チャンバが設置され、前記切換チャンバの中には駆動切換装置が設置されている。
【０００６】
前記正逆回転装置は前記伝動チャンバと前記分離チャンバとの間に回転できるように設置されている第二回転軸を含み、前記伝動チャンバの中の前記第二回転軸の末端には前記第一ギヤと噛み合っている第二ギヤが固定的に設置され、前記分離チャンバの中の前記第二回転軸の末端には第三ギヤが固定的に設置され、前記分離チャンバの端壁の中には上下対称の回転チャンバが設置され、前記分離チャンバと前記回転チャンバとの間には第三回転軸が回転できるように設置され、上下二つの前記分離チャンバの中の前記第三回転軸の末端には向きが同じであるセクタギヤが固定的に設置され、前記回転チャンバの中の前記第三回転軸の末端には第一ベベルギヤが固定的に設置され、上下二つの前記回転チャンバの間には第四回転軸が回転できるように設置され、前記回転チャンバの中の前記第四回転軸の外面には前記第一ベベルギヤと噛み合っている第二ベベルギヤが固定的に設置され、前記第四回転軸の頂部末端が前記切換チャンバに伸びており、且つ前記第四回転軸の頂部末端には第四ギヤが固定的に設置されている。
【０００７】
前記液圧装置は前記ピストンチャンバの中にスライドできるように設置されているピストンを含み、前記ピストンチャンバの底壁の中には動力チャンバが設置され、前記動力チャンバの中にはネジスリーブが回転できるように設置され、前記ネジスリーブの外面には第五ギヤが固定的に設置され、前記動力チャンバの底壁の中には第一モータが固定的に設置され、前記第一モータの出力軸末端には前記第五ギヤと噛み合っている第六ギヤが固定的に設置され、前記ネジスリーブの頂壁の中には第一ネジ孔が設置され、前記第一ネジ孔の中には前記ピストンと固定的に連結されている第一ネジロッドがネジ山により連結され、前記主体の頂壁には液圧シリンダがヒンジにより連結され、前記液圧シリンダの中にはホースにより前記ピストンチャンバに連通している液圧チャンバが設置され、前記液圧チャンバの中には液圧ロッドがスライドできるように設置され、前記液圧ロッドの末端にはヒンジ連結ロッドがヒンジにより連結され、前記ヒンジ連結ロッドの底部が前記回転筒の外面に回転できるように設置されている第一回転リングとヒンジにより連結され、前記ヒンジ連結ロッドの頂部末端には連結ロッドがヒンジにより連結され、前記連結ロッドの末端には密封蓋がヒンジにより連結され、前記密封蓋の右側が前記回転筒の外面に回転できるように設置されている第二回転リングとヒンジにより連結され、前記回転筒の中に設置されている研磨チャンバの端壁の中には抜き孔が設置されている。
【０００８】
好ましくは、前記分離装置は前記研磨チャンバの中に固定的に設置されている濾過板を含み、前記濾過板の右側には推し板がスライドできるように設置され、前記推し板の中には左右に貫通している第二ネジ孔が設置され、前記第二ネジ孔の中には第二ネジロッドがネジ山により連結され、前記第二ネジロッドの右側末端が前記研磨チャンバの端壁を貫通して前記回転筒から突き出ており、且つ前記第二ネジロッドの右側末端には第三ベベルギヤが固定的に設置され、前記切換チャンバの頂壁の中には第五回転軸が回転できるように設置され、前記切換チャンバの中の前記第五回転軸の末端には第七ギヤが固定的に設置され、前記第五回転軸の頂部末端には第四ベベルギヤが固定的に設置されている。
【０００９】
好ましくは、前記駆動切換装置は前記操作チャンバの内壁に設置されている第一スライド孔を含み、前記第一スライド孔の中には第一ラックがスライドできるように設置され、前記第一ラックと前記第一スライド孔の端壁との間には復帰装置が設置され、前記切換チャンバの頂壁の中にはスライドチャンバが設置され、前記スライドチャンバの中にはスライダが左右へスライドできるように設置され、前記スライダの底壁には第二モータが固定的に設置され、前記第二モータの出力軸の末端には前記第四ギヤと噛み合っている第八ギヤが固定的に設置され、前記スライドチャンバの端壁の中には前記スライドチャンバに連通している第二スライド孔が設置され、前記第二スライド孔の中には前記スライダと固定的に連結されている第二ラックがスライドできるように設置され、前記第一スライド孔と前記第二スライド孔との間にはギヤチャンバが連通するように設置され、前記ギヤチャンバの中には前記第一ラック及び前記第二ラックと噛み合っている第九ギヤが回転できるように設置されている。
【発明の効果】
【００１０】
本発明の有益効果は：本発明の装飾ネックレス研磨装置は構成全体でもっと合理的に巧妙であり、使用も非常に便利であり、ネックレスを研磨できるだけでなく、ネックレスを研磨ボールから分離させることもでき、操作が便利で、設備の安定性が高く、設備の中に正逆回転装置が設置されており、研磨をもっと均一にし、研磨効果がより良く、使用の実用性を高め、高い使用価値と普及する価値を有する。
【図面の簡単な説明】
【００１１】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の装飾ネックレス研磨装置の全体構成模式図
【図２】図２は図１の中の「Ａ」の拡大構成模式図
【図３】図３は図１の右側面図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
図１〜３を参照し、本発明の装飾ネックレス研磨装置は、主体１０と、前記主体１０の中に位置している操作チャンバ１２とピストンチャンバ２４とを含み、前記操作チャンバ１２の底壁には二つの支持スタンド１３が設置され、前記支持スタンド１３の中には凹溝１１が設置され、前記凹溝１１の中には前後対称の第一回転軸１５が回転できるように設置され、前記第一回転軸１５の外面には摩擦盤１４が固定的に設置され、前記第一回転軸１５が前記操作チャンバ１２の端壁の中に設置されている伝動チャンバ４７の中に伸びており、且つ前記第一回転軸１５の末端には第一ギヤ４８が固定的に設置され、前記伝動チャンバ４７の端壁の中には分離チャンバ５２が設置され、前記分離チャンバ５２の中には正逆回転装置２００が設置され、前後二組の摩擦盤１４の頂壁には回転筒４２が回転できるように設置され、前記回転筒４２の端壁の中には前記主体１０と固定的に連結されているリンクチェーン３０が回転できるように設置され、前記回転筒４２の中には分離装置３００が設置され、前記ピストンチャンバ２４の中には液圧装置４００が設置され、前記ピストンチャンバ２４の端壁の中には切換チャンバ５８が設置され、前記切換チャンバ５８の中には駆動切換装置５００が設置されている。
【００１５】
有益的には、前記正逆回転装置２００は前記伝動チャンバ４７と前記分離チャンバ５２との間に回転できるように設置されている第二回転軸５０を含み、前記伝動チャンバ４７の中の前記第二回転軸５０の末端には前記第一ギヤ４８と噛み合っている第二ギヤ４９が固定的に設置され、前記分離チャンバ５２の中の前記第二回転軸５０の末端には第三ギヤ５１が固定的に設置され、前記分離チャンバ５２の端壁の中には上下対称の回転チャンバ５６が設置され、前記分離チャンバ５２と前記回転チャンバ５６との間には第三回転軸５３が回転できるように設置され、上下二つの前記分離チャンバ５２の中の前記第三回転軸５３の末端には向きが同じであるセクタギヤ４６が固定的に設置され、前記回転チャンバ５６の中の前記第三回転軸５３の末端には第一ベベルギヤ６８が固定的に設置され、上下二つの前記回転チャンバ５６の間には第四回転軸５４が回転できるように設置され、前記回転チャンバ５６の中の前記第四回転軸５４の外面には前記第一ベベルギヤ６８と噛み合っている第二ベベルギヤ５５が固定的に設置され、前記第四回転軸５４の頂部末端が前記切換チャンバ５８に伸びており、且つ前記第四回転軸５４の頂部末端には第四ギヤ４４が固定的に設置されている。
【００１６】
有益的には、前記液圧装置４００は前記ピストンチャンバ２４の中にスライドできるように設置されているピストン２５を含み、前記ピストンチャンバ２４の底壁の中には動力チャンバ１９が設置され、前記動力チャンバ１９の中にはネジスリーブ１８が回転できるように設置され、前記ネジスリーブ１８の外面には第五ギヤ２１が固定的に設置され、前記動力チャンバ１９の底壁の中には第一モータ１８が固定的に設置され、前記第一モータ１８の出力軸末端には前記第五ギヤ２１と噛み合っている第六ギヤ２０が固定的に設置され、前記ネジスリーブ１８の頂壁の中には第一ネジ孔１６が設置され、前記第一ネジ孔１６の中には前記ピストン２５と固定的に連結されている第一ネジロッド２３がネジ山により連結され、前記主体１０の頂壁には液圧シリンダ２８がヒンジにより連結され、前記液圧シリンダ２８の中にはホース２６により前記ピストンチャンバ２４に連通している液圧チャンバ２９が設置され、前記液圧チャンバ２９の中には液圧ロッド６９がスライドできるように設置され、前記液圧ロッド６９の末端にはヒンジ連結ロッド３６がヒンジにより連結され、前記ヒンジ連結ロッド３６の底部が前記回転筒４２の外面に回転できるように設置されている第一回転リング３５とヒンジにより連結され、前記ヒンジ連結ロッド３６の頂部末端には連結ロッド３７がヒンジにより連結され、前記連結ロッド３７の末端には密封蓋３９がヒンジにより連結され、前記密封蓋３９の右側が前記回転筒４２の外面に回転できるように設置されている第二回転リング３５とヒンジにより連結され、前記回転筒４２の中に設置されている研磨チャンバ４１の端壁の中には抜き孔４０が設置されている。
【００１７】
有益的には、前記分離装置３００は前記研磨チャンバ４１の中に固定的に設置されている濾過板３４を含み、前記濾過板３４の右側には推し板３３がスライドできるように設置され、前記推し板３３の中には左右に貫通している第二ネジ孔３２が設置され、前記第二ネジ孔３２の中には第二ネジロッド３１がネジ山により連結され、前記第二ネジロッド３１の右側末端が前記研磨チャンバ４１の端壁を貫通して前記回転筒４２から突き出ており、且つ前記第二ネジロッド３１の右側末端には第三ベベルギヤ７０が固定的に設置され、前記切換チャンバ５８の頂壁の中には第五回転軸６１が回転できるように設置され、前記切換チャンバ５８の中の前記第五回転軸６１の末端には第七ギヤ５７が固定的に設置され、前記第五回転軸６１の頂部末端には第四ベベルギヤ２７が固定的に設置されている。
【００１８】
有益的には、前記駆動切換装置５００は前記操作チャンバ１２の内壁に設置されている第一スライド孔６５を含み、前記第一スライド孔６５の中には第一ラック６６がスライドできるように設置され、前記第一ラック６６と前記第一スライド孔６５の端壁との間には復帰装置６７が設置され、前記切換チャンバ５８の頂壁の中にはスライドチャンバ６０が設置され、前記スライドチャンバ６０の中にはスライダ５９が左右へスライドできるように設置され、前記スライダ５９の底壁には第二モータ６２が固定的に設置され、前記第二モータ６２の出力軸の末端には前記第四ギヤ４４と噛み合っている第八ギヤ４５が固定的に設置され、前記スライドチャンバ６０の端壁の中には前記スライドチャンバ６０に連通している第二スライド孔４３が設置され、前記第二スライド孔４３の中には前記スライダ５９と固定的に連結されている第二ラック６３がスライドできるように設置され、前記第一スライド孔６５と前記第二スライド孔４３との間にはギヤチャンバ６４が連通するように設置され、前記ギヤチャンバ６４の中には前記第一ラック６６及び前記第二ラック６３と噛み合っている第九ギヤ４２が回転できるように設置されている。
【００１９】
以下、出願人は付図１〜３及び上記の本出願の装飾ネックレス研磨装置の具体的な構成を参照してその使用方法を詳しく紹介する：
【００２０】
本発明設備が作動する時、前記第一モータ１８を始動し、これにより前記第六ギヤ２０が回転して前記第五ギヤ２１を連動させて回転させ、これにより前記ネジスリーブ１７を連動させて回転させ、これにより前記第一ネジロッド２３と前記ピストン２５とを連動させて下方へ移動させ、これにより作動油を連動させて前記ピストンチャンバ２４に入らせ、これにより前記液圧ロッド６９が連動して前記回転筒４２を引き動かして鉛直にし、同時に前記密封蓋３９を開け、この時、前記装飾ネックレスと、研磨摩擦ボールと、水と、研磨粉とを前記研磨チャンバ４１の中に置き、前記第一モータ１８を始動して逆方向へ回転させ、これにより前記ピストン２５を連動させて上方へ移動させ、これにより前記液圧ロッド６９を推し動かして前記密封蓋３９を連動させて閉じ、同時に前記回転筒４２を連動させて水平に復帰させ、この時、前記第二モータ６２を始動して回転させ、これにより前記第八ギヤ４５を連動させて回転させ、これにより前記第四ギヤ４４と、前記第四回転軸５４と、前記第二ベベルギヤ５５と、前記第一ベベルギヤ６８と、前記セクタギヤ４６とが順に回転し、この時、上下二つの前記セクタギヤ４６が逆方向へ回転して順に前記第三ギヤ５１と噛み合い、これにより前記第三ギヤ５１と、前記第二ギヤ４９と、前記第一ギヤ４８と、前記第一回転軸１５と、前記摩擦盤１４とを連動させて同時に正逆回転運動させ、この時、前記回転筒４２が正逆回転運動し、これにより前記研磨チャンバ４１の中の研磨摩擦ボールを連動させてアクセサリーと摩擦させてアクセサリーを研磨し、研磨が完成した後、再び前記第一モータ１８を始動し、これにより前記回転筒４２を連動させて鉛直にし、この時、前記第一ラック６６が回転筒４２との当接を失って前記第二ラック６３を連動させて移動させ、これにより前記スライダ５９を連動させて移動させ、これにより前記第八ギヤ４５を連動させて前記第七ギヤ５７と噛み合わせ、同時に前記回転筒４２が鉛直になることにより前記第三ベベルギヤ７０を連動させて前記第四ベベルギヤ２７と噛み合わせ、この時、前記第二モータ６２を始動し、これにより前記第八ギヤ４５と、前記第七ギヤ５７と、第四ベベルギヤ２７と、前記第三ベベルギヤ７０とを連動させて回転させ、これにより前記第二ネジロッド３１を連動させて回転させ、前記第二ネジロッド３１が回転して前記推し板３３を連動させて下方へ移動させ、この時、前記水と前記研磨摩擦ボールが前記濾過板３４と前記推し板３３との間に落ち、この時、ネックレスを取り出し、研磨を完成する。
【００２１】
上記の詳しい分析から分かることは：本発明の設備は同一の動力源を利用してネックレスの研磨を連動させ、同時に当該動力源を利用して研磨ボールとネックレスの混合分離を実現し、上記の駆動切換過程において設備は前記回転筒の鉛直と水平の切換を連動させ、全ての過程は自動化操作であり、操作の過程を簡略化し、使用がもっと便利である。
【００２２】
そのため、本発明の装飾ネックレス研磨装置は構成全体でもっと合理的に巧妙であり、使用も非常に便利であり、ネックレスを研磨できるだけでなく、ネックレスを研磨ボールから分離させることもでき、操作が便利で、設備の安定性が高く、設備の中に正逆回転装置が設置されており、研磨をもっと均一にし、研磨効果がより良く、使用の実用性を高め、高い使用価値と普及する価値を有する。
【００２３】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020179123.tif 000003
【図２】
2020179123.tif 000004
【図３】
2020179123.tif 000005
【手続補正書】
【提出日】令和1年8月15日(2019.8.15)
【手続補正１】
【補正対象書類名】特許請求の範囲
【補正対象項目名】全文
【補正方法】変更
【補正の内容】
【特許請求の範囲】
【請求項１】
主体と、前記主体の中に位置している操作チャンバとピストンチャンバとを含み、前記操作チャンバの底壁には二つの支持スタンドが設置され、前記支持スタンドの中には凹溝が設置され、前記凹溝の中には二つの第一回転軸が前後対称に回転できるように設置され、前記第一回転軸の外面には摩擦盤が固定的に設置され、前記第一回転軸が前記操作チャンバの端壁の中に設置されている伝動チャンバの中に伸びており、且つ前記第一回転軸の末端には第一ギヤが固定的に設置され、前記伝動チャンバの端壁の中には分離チャンバが設置され、前記分離チャンバの中には正逆回転装置が設置され、前後二組の摩擦盤の頂壁には回転筒が回転できるように設置され、前記回転筒の端壁の中には前記主体と固定的に連結されているリンクチェーンが回転できるように設置され、前記回転筒の中には分離装置が設置され、前記ピストンチャンバの中には液圧装置が設置され、前記ピストンチャンバの端壁の中には切換チャンバが設置され、前記切換チャンバの中には駆動切換装置が設置されており、
前記正逆回転装置は前記伝動チャンバと前記分離チャンバとの間に回転できるように設置されている第二回転軸を含み、前記伝動チャンバの中の前記第二回転軸の末端には前記第一ギヤと噛み合っている第二ギヤが固定的に設置され、前記分離チャンバの中の前記第二回転軸の末端には第三ギヤが固定的に設置され、前記分離チャンバの端壁の中には上下対称の回転チャンバが設置され、前記分離チャンバと前記回転チャンバとの間には第三回転軸が回転できるように設置され、前記分離チャンバの中の上下二つの前記第三回転軸の末端には同じ方向に向いているセクタギヤがそれぞれ設置され、前記回転チャンバの中の前記第三回転軸の末端には第一ベベルギヤが固定的に設置され、上下二つの前記回転チャンバの間には第四回転軸が回転できるように設置され、前記回転チャンバの中の前記第四回転軸の外面には前記第一ベベルギヤと噛み合っている第二ベベルギヤが固定的に設置され、前記第四回転軸の頂部末端が前記切換チャンバに伸びており、且つ前記第四回転軸の頂部末端には第四ギヤが固定的に設置されており、
前記液圧装置は前記ピストンチャンバの中にスライドできるように設置されているピストンを含み、前記ピストンチャンバの底壁の中には動力チャンバが設置され、前記動力チャンバの中にはネジスリーブが回転できるように設置され、前記ネジスリーブの外面には第五ギヤが固定的に設置され、前記動力チャンバの底壁の中には第一モータが固定的に設置され、前記第一モータの出力軸末端には前記第五ギヤと噛み合っている第六ギヤが固定的に設置され、前記ネジスリーブの頂壁の中には第一ネジ孔が設置され、前記第一ネジ孔の中には前記ピストンと固定的に連結されている第一ネジロッドがネジ山により連結され、前記主体の頂壁には液圧シリンダがヒンジにより連結され、前記液圧シリンダの中にはホースにより前記ピストンチャンバに連通している液圧チャンバが設置され、前記液圧チャンバの中には液圧ロッドがスライドできるように設置され、前記液圧ロッドの末端にはヒンジ連結ロッドがヒンジにより連結され、前記ヒンジ連結ロッドの底部が前記回転筒の外面に回転できるように設置されている第一回転リングとヒンジにより連結され、前記ヒンジ連結ロッドの頂部末端には連結ロッドがヒンジにより連結され、前記連結ロッドの末端には密封蓋がヒンジにより連結され、前記密封蓋の右側が前記回転筒の外面に回転できるように設置されている第二回転リングとヒンジにより連結され、前記回転筒の中に設置されている研磨チャンバの端壁の中には抜き孔が設置されており、
前記分離装置は前記研磨チャンバの中に固定的に設置されている濾過板を含み、前記濾過板の右側には推し板がスライドできるように設置され、前記推し板の中には左右に貫通している第二ネジ孔が設置され、前記第二ネジ孔の中には第二ネジロッドがネジ山により連結され、前記第二ネジロッドの右側末端が前記研磨チャンバの端壁を貫通して前記回転筒から突き出ており、且つ前記第二ネジロッドの右側末端には第三ベベルギヤが固定的に設置され、前記切換チャンバの頂壁の中には第五回転軸が回転できるように設置され、前記切換チャンバの中の前記第五回転軸の末端には第七ギヤが固定的に設置され、前記第五回転軸の頂部末端には第四ベベルギヤが固定的に設置されており、
前記駆動切換装置は前記操作チャンバの内壁に設置されている第一スライド孔を含み、前記第一スライド孔の中には第一ラックがスライドできるように設置され、前記第一ラックと前記第一スライド孔の端壁との間には復帰装置が設置され、前記切換チャンバの頂壁の中にはスライドチャンバが設置され、前記スライドチャンバの中にはスライダが左右へスライドできるように設置され、前記スライダの底壁には第二モータが固定的に設置され、前記第二モータの出力軸の末端には前記第四ギヤと噛み合っている第八ギヤが固定的に設置され、前記スライドチャンバの端壁の中には前記スライドチャンバに連通している第二スライド孔が設置され、前記第二スライド孔の中には前記スライダと固定的に連結されている第二ラックがスライドできるように設置され、前記第一スライド孔と前記第二スライド孔との間にはギヤチャンバが連通するように設置され、前記ギヤチャンバの中には前記第一ラック及び前記第二ラックと噛み合っている第九ギヤが回転できるように設置されていることを特徴とする装飾ネックレス研磨装置。
【手続補正２】
【補正対象書類名】明細書
【補正対象項目名】全文
【補正方法】変更
【補正の内容】
【発明の詳細な説明】
【技術分野】
【０００１】
本発明はアクセサリー加工分野を取り上げて、具体的には装飾ネックレス研磨装置である。
【背景技術】
【０００２】
生活レベルの向上につれて人々がよりよい生活の品質を求め、ネックレスはほとんどの女性にとって須要なアクセサリーの一つであり、しかし、ネックレスは美しいが、長期に渡って空気の中にさらされると酸化しやすく、摩損しやすく、これによりネックレスはもとの光沢を失い、その外見が暗くなり、そこで、研磨設備が非常に必要となり、従来の研磨設備の自動化程度が低く、研磨効果があまり良くなく、そのため、従来技術の中の装飾ネックレス研磨装置を更に改善する必要があり、これにより装飾ネックレス研磨装置の自動化程度と実用性を高める。
【先行技術文献】
【特許文献】
【０００３】
【特許文献１】中国特許出願公開第１０９６４８４１９号明細書
【発明の概要】
【発明が解決しようとする課題】
【０００４】
本発明は装飾ネックレス研磨装置を提供し、従来技術における上記欠点を解消し、設備の自動化程度と実用性を高めることを目的とする。
【課題を解決するための手段】
【０００５】
本発明の装飾ネックレス研磨装置は、主体と、前記主体の中に位置している操作チャンバとピストンチャンバとを含み、前記操作チャンバの底壁には二つの支持スタンドが設置され、前記支持スタンドの中には凹溝が設置され、前記凹溝の中には二つの第一回転軸が前後対称に回転できるように設置され、前記第一回転軸の外面には摩擦盤が固定的に設置され、前記第一回転軸が前記操作チャンバの端壁の中に設置されている伝動チャンバの中に伸びており、且つ前記第一回転軸の末端には第一ギヤが固定的に設置され、前記伝動チャンバの端壁の中には分離チャンバが設置され、前記分離チャンバの中には正逆回転装置が設置され、前後二組の摩擦盤の頂壁には回転筒が回転できるように設置され、前記回転筒の端壁の中には前記主体と固定的に連結されているリンクチェーンが回転できるように設置され、前記回転筒の中には分離装置が設置され、前記ピストンチャンバの中には液圧装置が設置され、前記ピストンチャンバの端壁の中には切換チャンバが設置され、前記切換チャンバの中には駆動切換装置が設置されている。
【０００６】
前記正逆回転装置は前記伝動チャンバと前記分離チャンバとの間に回転できるように設置されている第二回転軸を含み、前記伝動チャンバの中の前記第二回転軸の末端には前記第一ギヤと噛み合っている第二ギヤが固定的に設置され、前記分離チャンバの中の前記第二回転軸の末端には第三ギヤが固定的に設置され、前記分離チャンバの端壁の中には上下対称の回転チャンバが設置され、前記分離チャンバと前記回転チャンバとの間には第三回転軸が回転できるように設置され、前記分離チャンバの中の上下二つの前記第三回転軸の末端には同じ方向に向いているセクタギヤがそれぞれ設置され、前記回転チャンバの中の前記第三回転軸の末端には第一ベベルギヤが固定的に設置され、上下二つの前記回転チャンバの間には第四回転軸が回転できるように設置され、前記回転チャンバの中の前記第四回転軸の外面には前記第一ベベルギヤと噛み合っている第二ベベルギヤが固定的に設置され、前記第四回転軸の頂部末端が前記切換チャンバに伸びており、且つ前記第四回転軸の頂部末端には第四ギヤが固定的に設置されている。
【０００７】
前記液圧装置は前記ピストンチャンバの中にスライドできるように設置されているピストンを含み、前記ピストンチャンバの底壁の中には動力チャンバが設置され、前記動力チャンバの中にはネジスリーブが回転できるように設置され、前記ネジスリーブの外面には第五ギヤが固定的に設置され、前記動力チャンバの底壁の中には第一モータが固定的に設置され、前記第一モータの出力軸末端には前記第五ギヤと噛み合っている第六ギヤが固定的に設置され、前記ネジスリーブの頂壁の中には第一ネジ孔が設置され、前記第一ネジ孔の中には前記ピストンと固定的に連結されている第一ネジロッドがネジ山により連結され、前記主体の頂壁には液圧シリンダがヒンジにより連結され、前記液圧シリンダの中にはホースにより前記ピストンチャンバに連通している液圧チャンバが設置され、前記液圧チャンバの中には液圧ロッドがスライドできるように設置され、前記液圧ロッドの末端にはヒンジ連結ロッドがヒンジにより連結され、前記ヒンジ連結ロッドの底部が前記回転筒の外面に回転できるように設置されている第一回転リングとヒンジにより連結され、前記ヒンジ連結ロッドの頂部末端には連結ロッドがヒンジにより連結され、前記連結ロッドの末端には密封蓋がヒンジにより連結され、前記密封蓋の右側が前記回転筒の外面に回転できるように設置されている第二回転リングとヒンジにより連結され、前記回転筒の中に設置されている研磨チャンバの端壁の中には抜き孔が設置されている。
【０００８】
好ましくは、前記分離装置は前記研磨チャンバの中に固定的に設置されている濾過板を含み、前記濾過板の右側には推し板がスライドできるように設置され、前記推し板の中には左右に貫通している第二ネジ孔が設置され、前記第二ネジ孔の中には第二ネジロッドがネジ山により連結され、前記第二ネジロッドの右側末端が前記研磨チャンバの端壁を貫通して前記回転筒から突き出ており、且つ前記第二ネジロッドの右側末端には第三ベベルギヤが固定的に設置され、前記切換チャンバの頂壁の中には第五回転軸が回転できるように設置され、前記切換チャンバの中の前記第五回転軸の末端には第七ギヤが固定的に設置され、前記第五回転軸の頂部末端には第四ベベルギヤが固定的に設置されている。
【０００９】
好ましくは、前記駆動切換装置は前記操作チャンバの内壁に設置されている第一スライド孔を含み、前記第一スライド孔の中には第一ラックがスライドできるように設置され、前記第一ラックと前記第一スライド孔の端壁との間には復帰装置が設置され、前記切換チャンバの頂壁の中にはスライドチャンバが設置され、前記スライドチャンバの中にはスライダが左右へスライドできるように設置され、前記スライダの底壁には第二モータが固定的に設置され、前記第二モータの出力軸の末端には前記第四ギヤと噛み合っている第八ギヤが固定的に設置され、前記スライドチャンバの端壁の中には前記スライドチャンバに連通している第二スライド孔が設置され、前記第二スライド孔の中には前記スライダと固定的に連結されている第二ラックがスライドできるように設置され、前記第一スライド孔と前記第二スライド孔との間にはギヤチャンバが連通するように設置され、前記ギヤチャンバの中には前記第一ラック及び前記第二ラックと噛み合っている第九ギヤが回転できるように設置されている。
【発明の効果】
【００１０】
本発明の有益効果は：本発明の装飾ネックレス研磨装置は構成全体でもっと合理的に巧妙であり、使用も非常に便利であり、ネックレスを研磨できるだけでなく、ネックレスを研磨ボールから分離させることもでき、操作が便利で、設備の安定性が高く、設備の中に正逆回転装置が設置されており、研磨をもっと均一にし、研磨効果がより良く、使用の実用性を高め、高い使用価値と普及する価値を有する。
【図面の簡単な説明】
【００１１】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の装飾ネックレス研磨装置の全体構成模式図
【図２】図２は図１の中の「Ａ」の拡大構成模式図
【図３】図３は図１の右側面図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
図１〜３を参照し、本発明の装飾ネックレス研磨装置は、主体１０と、前記主体１０の中に位置している操作チャンバ１２とピストンチャンバ２４とを含み、前記操作チャンバ１２の底壁には二つの支持スタンド１３が設置され、前記支持スタンド１３の中には凹溝１１が設置され、前記凹溝１１の中には二つの第一回転軸１５が前後対称に回転できるように設置され、前記第一回転軸１５の外面には摩擦盤１４が固定的に設置され、前記第一回転軸１５が前記操作チャンバ１２の端壁の中に設置されている伝動チャンバ４７の中に伸びており、且つ前記第一回転軸１５の末端には第一ギヤ４８が固定的に設置され、前記伝動チャンバ４７の端壁の中には分離チャンバ５２が設置され、前記分離チャンバ５２の中には正逆回転装置２００が設置され、前後二組の摩擦盤１４の頂壁には回転筒４２が回転できるように設置され、前記回転筒４２の端壁の中には前記主体１０と固定的に連結されているリンクチェーン３０が回転できるように設置され、前記回転筒４２の中には分離装置３００が設置され、前記ピストンチャンバ２４の中には液圧装置４００が設置され、前記ピストンチャンバ２４の端壁の中には切換チャンバ５８が設置され、前記切換チャンバ５８の中には駆動切換装置５００が設置されている。
【００１５】
有益的には、前記正逆回転装置２００は前記伝動チャンバ４７と前記分離チャンバ５２との間に回転できるように設置されている第二回転軸５０を含み、前記伝動チャンバ４７の中の前記第二回転軸５０の末端には前記第一ギヤ４８と噛み合っている第二ギヤ４９が固定的に設置され、前記分離チャンバ５２の中の前記第二回転軸５０の末端には第三ギヤ５１が固定的に設置され、前記分離チャンバ５２の端壁の中には上下対称の回転チャンバ５６が設置され、前記分離チャンバ５２と前記回転チャンバ５６との間には第三回転軸５３が回転できるように設置され、前記分離チャンバ５２の中の上下二つの前記第三回転軸５３の末端には同じ方向に向いているセクタギヤ４６がそれぞれ設置され、前記回転チャンバ５６の中の前記第三回転軸５３の末端には第一ベベルギヤ６８が固定的に設置され、上下二つの前記回転チャンバ５６の間には第四回転軸５４が回転できるように設置され、前記回転チャンバ５６の中の前記第四回転軸５４の外面には前記第一ベベルギヤ６８と噛み合っている第二ベベルギヤ５５が固定的に設置され、前記第四回転軸５４の頂部末端が前記切換チャンバ５８に伸びており、且つ前記第四回転軸５４の頂部末端には第四ギヤ４４が固定的に設置されている。
【００１６】
有益的には、前記液圧装置４００は前記ピストンチャンバ２４の中にスライドできるように設置されているピストン２５を含み、前記ピストンチャンバ２４の底壁の中には動力チャンバ１９が設置され、前記動力チャンバ１９の中にはネジスリーブ１８が回転できるように設置され、前記ネジスリーブ１８の外面には第五ギヤ２１が固定的に設置され、前記動力チャンバ１９の底壁の中には第一モータ１８が固定的に設置され、前記第一モータ１８の出力軸末端には前記第五ギヤ２１と噛み合っている第六ギヤ２０が固定的に設置され、前記ネジスリーブ１８の頂壁の中には第一ネジ孔１６が設置され、前記第一ネジ孔１６の中には前記ピストン２５と固定的に連結されている第一ネジロッド２３がネジ山により連結され、前記主体１０の頂壁には液圧シリンダ２８がヒンジにより連結され、前記液圧シリンダ２８の中にはホース２６により前記ピストンチャンバ２４に連通している液圧チャンバ２９が設置され、前記液圧チャンバ２９の中には液圧ロッド６９がスライドできるように設置され、前記液圧ロッド６９の末端にはヒンジ連結ロッド３６がヒンジにより連結され、前記ヒンジ連結ロッド３６の底部が前記回転筒４２の外面に回転できるように設置されている第一回転リング３５とヒンジにより連結され、前記ヒンジ連結ロッド３６の頂部末端には連結ロッド３７がヒンジにより連結され、前記連結ロッド３７の末端には密封蓋３９がヒンジにより連結され、前記密封蓋３９の右側が前記回転筒４２の外面に回転できるように設置されている第二回転リング３８とヒンジにより連結され、前記回転筒４２の中に設置されている研磨チャンバ４１の端壁の中には抜き孔４０が設置されている。
【００１７】
有益的には、前記分離装置３００は前記研磨チャンバ４１の中に固定的に設置されている濾過板３４を含み、前記濾過板３４の右側には推し板３３がスライドできるように設置され、前記推し板３３の中には左右に貫通している第二ネジ孔３２が設置され、前記第二ネジ孔３２の中には第二ネジロッド３１がネジ山により連結され、前記第二ネジロッド３１の右側末端が前記研磨チャンバ４１の端壁を貫通して前記回転筒４２から突き出ており、且つ前記第二ネジロッド３１の右側末端には第三ベベルギヤ７０が固定的に設置され、前記切換チャンバ５８の頂壁の中には第五回転軸６１が回転できるように設置され、前記切換チャンバ５８の中の前記第五回転軸６１の末端には第七ギヤ５７が固定的に設置され、前記第五回転軸６１の頂部末端には第四ベベルギヤ２７が固定的に設置されている。
【００１８】
有益的には、前記駆動切換装置５００は前記操作チャンバ１２の内壁に設置されている第一スライド孔６５を含み、前記第一スライド孔６５の中には第一ラック６６がスライドできるように設置され、前記第一ラック６６と前記第一スライド孔６５の端壁との間には復帰装置６７が設置され、前記切換チャンバ５８の頂壁の中にはスライドチャンバ６０が設置され、前記スライドチャンバ６０の中にはスライダ５９が左右へスライドできるように設置され、前記スライダ５９の底壁には第二モータ６２が固定的に設置され、前記第二モータ６２の出力軸の末端には前記第四ギヤ４４と噛み合っている第八ギヤ４５が固定的に設置され、前記スライドチャンバ６０の端壁の中には前記スライドチャンバ６０に連通している第二スライド孔４３が設置され、前記第二スライド孔４３の中には前記スライダ５９と固定的に連結されている第二ラック６３がスライドできるように設置され、前記第一スライド孔６５と前記第二スライド孔４３との間にはギヤチャンバ６４が連通するように設置され、前記ギヤチャンバ６４の中には前記第一ラック６６及び前記第二ラック６３と噛み合っている第九ギヤ４２が回転できるように設置されている。
【００１９】
以下、出願人は付図１〜３及び上記の本出願の装飾ネックレス研磨装置の具体的な構成を参照してその使用方法を詳しく紹介する：
【００２０】
本発明設備が作動する時、前記第一モータ１８を始動し、これにより前記第六ギヤ２０が回転して前記第五ギヤ２１を連動させて回転させ、これにより前記ネジスリーブ１７を連動させて回転させ、これにより前記第一ネジロッド２３と前記ピストン２５とを連動させて下方へ移動させ、これにより作動油を連動させて前記ピストンチャンバ２４に入らせ、これにより前記液圧ロッド６９が連動して前記回転筒４２を引き動かして鉛直にし、同時に前記密封蓋３９を開け、この時、前記装飾ネックレスと、研磨摩擦ボールと、水と、研磨粉とを前記研磨チャンバ４１の中に置き、前記第一モータ１８を始動して逆方向へ回転させ、これにより前記ピストン２５を連動させて上方へ移動させ、これにより前記液圧ロッド６９を推し動かして前記密封蓋３９を連動させて閉じ、同時に前記回転筒４２を連動させて水平に復帰させ、この時、前記第二モータ６２を始動して回転させ、これにより前記第八ギヤ４５を連動させて回転させ、これにより前記第四ギヤ４４と、前記第四回転軸５４と、前記第二ベベルギヤ５５と、前記第一ベベルギヤ６８と、前記セクタギヤ４６とが順に回転し、この時、上下二つの前記セクタギヤ４６が逆方向へ回転して順に前記第三ギヤ５１と噛み合い、これにより前記第三ギヤ５１と、前記第二ギヤ４９と、前記第一ギヤ４８と、前記第一回転軸１５と、前記摩擦盤１４とを連動させて同時に正逆回転運動させ、この時、前記回転筒４２が正逆回転運動し、これにより前記研磨チャンバ４１の中の研磨摩擦ボールを連動させてアクセサリーと摩擦させてアクセサリーを研磨し、研磨が完成した後、再び前記第一モータ１８を始動し、これにより前記回転筒４２を連動させて鉛直にし、この時、前記第一ラック６６が回転筒４２との当接を失って前記第二ラック６３を連動させて移動させ、これにより前記スライダ５９を連動させて移動させ、これにより前記第八ギヤ４５を連動させて前記第七ギヤ５７と噛み合わせ、同時に前記回転筒４２が鉛直になることにより前記第三ベベルギヤ７０を連動させて前記第四ベベルギヤ２７と噛み合わせ、この時、前記第二モータ６２を始動し、これにより前記第八ギヤ４５と、前記第七ギヤ５７と、第四ベベルギヤ２７と、前記第三ベベルギヤ７０とを連動させて回転させ、これにより前記第二ネジロッド３１を連動させて回転させ、前記第二ネジロッド３１が回転して前記推し板３３を連動させて下方へ移動させ、この時、前記水と前記研磨摩擦ボールが前記濾過板３４と前記推し板３３との間に落ち、この時、ネックレスを取り出し、研磨を完成する。
【００２１】
上記の詳しい分析から分かることは：本発明の設備は同一の動力源を利用してネックレスの研磨を連動させ、同時に当該動力源を利用して研磨ボールとネックレスの混合分離を実現し、上記の駆動切換過程において設備は前記回転筒の鉛直と水平の切換を連動させ、全ての過程は自動化操作であり、操作の過程を簡略化し、使用がもっと便利である。
【００２２】
そのため、本発明の装飾ネックレス研磨装置は構成全体でもっと合理的に巧妙であり、使用も非常に便利であり、ネックレスを研磨できるだけでなく、ネックレスを研磨ボールから分離させることもでき、操作が便利で、設備の安定性が高く、設備の中に正逆回転装置が設置されており、研磨をもっと均一にし、研磨効果がより良く、使用の実用性を高め、高い使用価値と普及する価値を有する。
【００２３】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。